(57)【要約】【課題】同一ネットワーク上に存在する管理サーバサーバに対してサーバ検索情報を送信し、全ての端末装置が確実、かつ安定にログインすることができるＩＰ端末装置を提供する。【解決手段】制御手段７、記憶手段８およびネットワークインタフェース手段９を有し、停電復旧時や電源投入後のシステム全体の起動時に、自動的に個々のディレイタイムＴＤ１〜ＴＤｎを有するサーバ検索情報ＪＲ１〜ＪＲｎをマルチキャストでＩＰネットワークＮＷに送信し、該当する管理サーバ（例えば、管理サーバ３ａ）からサーバ応答を受信した後、ログイン要求を該当する管理サーバ（例えば、管理サーバ３ａ）に送信し、該当する管理サーバ（例えば、管理サーバ３ａ）からログイン許可を受信してログインを確立するログイン確立手段６を備える。【選択図】  図３
2004165933.tif 000002
【特許請求の範囲】
【請求項１】
ＩＰネットワーク上に、それぞれ複数のＩＰ端末装置の固有識別子を登録して管理し、動作を制御する複数の管理サーバとともに接続された複数のＩＰ端末装置であって、
起動後に、自動的にサーバ検索情報をマルチキャストで前記ＩＰネットワークに送信し、該当する管理サーバからサーバ応答を受信した後、ログイン要求を前記該当する管理サーバに送信し、前記該当する管理サーバからログイン許可を受信してログインを確立するログイン設定手段を備えたことを特徴とするＩＰ端末装置。
【請求項２】
ＩＰネットワーク上に、それぞれ複数のＩＰ端末装置の固有識別子を登録して管理し、動作を制御する複数の管理サーバとともに接続された複数のＩＰ端末装置であって、
起動後に、自動的に個々のディレイタイムを有するサーバ検索情報をマルチキャストで前記ＩＰネットワークに送信し、該当する管理サーバからサーバ応答を受信した後、ログイン要求を前記該当する管理サーバに送信し、前記該当する管理サーバからログイン許可を受信してログインを確立するログイン設定手段を備えたことを特徴とするＩＰ端末装置。
【請求項３】
前記ログイン設定手段は、サーバ検索情報を記憶する記憶手段と、サーバ検索情報に対応したディレイタイムを設定する制御手段と、前記制御手段から供給されるディレイタイムのタイムラグでサーバ検索情報を前記ＩＰネットワークに送信するインタフェース手段と、を備えたことを特徴とする請求項２記載のＩＰ端末装置。
【請求項４】
サーバ検索情報は、ＭＡＣアドレスで形成したことを特徴とする請求項３記載のＩＰ端末装置。
【請求項５】
サーバ検索情報は、ＩＰアドレスで形成したことを特徴とする請求項３記載のＩＰ端末装置。
【請求項６】
前記制御手段は、サーバ検索情報の下位データ領域に設定した番号に、一定の時間定数を乗算してディレイタイムを生成することを特徴とする請求項３記載のＩＰ端末装置。
【発明の詳細な説明】
【０００１】
【発明の属する技術分野】
本発明はＩＰ端末装置の起動時に、ＩＰ端末装置から同一ネットワーク上に接続されている管理サーバへのログインを実行するＩＰ端末装置に関する。
【０００２】
【従来の技術】
図６に従来のＩＰ端末装置を含むＩＰネットワークシステム構成図を示す。図６において、ＩＰネットワークシステム５０は、ＩＰネットワークＮＷに接続された複数のＩＰ端末装置Ｅ１〜Ｅｎと、ＩＰネットワークＮＷに接続された管理サーバＳ１および管理サーバＳ２から構成される。
【０００３】
なお、ＩＰネットワークシステム５０は、ＩＰ（Ｉｎｔｅｒｎｅｔ  Ｐｒｏｔｏｃｏｌ）化された構内交換システムに相当し、ＩＰ端末装置Ｅ１〜Ｅｎは、ＩＰ電話機であり、内線電話機に相当する。また、管理サーバＳ１および管理サーバＳ２は、それぞれ構内交換機ユニットを構成し、併せて構内交換機（ＰＢＸ）に相当する。さらに、ＩＰネットワークＮＷは、内線に相当する。
【０００４】
管理サーバＳ１，Ｓ２は、それぞれ管理の対象となるＩＰ端末装置Ｅ１〜Ｅｎが割り当てられおり、予めＩＰ端末装置Ｅ１〜Ｅｎの特定可能な固有識別子（例えば、ＭＡＣ（Ｍｅｄｉａ  Ａｃｃｅｓｓ  Ｃｏｎｔｒｏｌ）アドレス、ＩＰ（Ｉｎｔｅｒｎｅｔ  Ｐｒｏｔｏｃｏｌ）アドレスまたは電話番号）が格納されている。
【０００５】
そして、ＩＰネットワークシステム５０の始動時に、システム全体に電源が印加されると、ＩＰ端末装置Ｅ１〜Ｅｎからログインと称するＩＰ端末装置Ｅ１〜Ｅｎが管理サーバＳ１，Ｓ２の制御下で動作するための登録が実行された後、動作状態に入る。
【０００６】
ログインは、ＩＰネットワークシステム５０の起動時に１度実行すれば、システム全体に電源が印加されている限り不要なものであるが、レアケースであるが停電でシステムがダウンしたような場合には、停電復旧後に再度ログインが実行される。
【０００７】
また、最近の傾向として、ＩＰネットワークシステム５０を導入している企業や事業所では、朝出勤するとシステムの電源を投入し、退社時にシステムの電源を切るような使い方がなされるため、システムの電源投入毎にログインが実行されることになる。（例えば、「特許文献１」参照）
【０００８】
【特許文献１】
特開平８−１６５０３号公報（図３）
【０００９】
【発明が解決しようとする課題】
ＩＰ端末装置が同一ネットワーク上に接続されている複数の管理サーバの一つにログイン登録する場合は、予め、ＩＰ端末装置に設定されたログイン先の管理サーバの情報に基づいてログインを行うべき管理サーバにのみログイン要求を送信していた。
【００１０】
しかし、管理サーバにおいては、処理能力に限界があるので、特定の管理サーバのみにログインおよびアクセスが集中した場合に、システムダウンに繋がる虞がある。
【００１１】
そこで、同一ネットワーク上に同種のサービスを行う管理サーバを複数存在させ、処理の分散を行うシステムにおいては、管理サーバを指定しないで、空いている管理サーバにログインする技術が必要とされている。
【００１２】
本発明は、このような課題を解決するためになされたものであり、同一ネットワーク上にある複数の管理サーバのいずれかに、ＩＰ端末装置が確実に、かつ安定にログインすることができるＩＰ端末装置を提供することを目的とする。
【００１３】
【課題を解決するための手段】
前記課題を解決するためこの発明に係るＩＰネットワーク上に、それぞれ複数のＩＰ端末装置の固有識別子を登録して管理し、動作を制御する複数の管理サーバとともに接続された複数のＩＰ端末装置であって、起動後に、自動的にサーバ検索情報をマルチキャストでＩＰネットワークに送信し、該当する管理サーバからサーバ応答を受信した後、ログイン要求を該当する管理サーバに送信し、該当する管理サーバからログイン許可を受信してログインを確立するログイン設定手段を備えたことを特徴とする。
【００１４】
また、この発明に係るＩＰ端末装置は、ＩＰネットワーク上に、それぞれ複数のＩＰ端末装置の固有識別子を登録して管理し、動作を制御する複数の管理サーバとともに接続された複数のＩＰ端末装置であって、起動後に、自動的に個々のディレイタイムを有するサーバ検索情報をマルチキャストでＩＰネットワークに送信し、該当する管理サーバからサーバ応答を受信した後、ログイン要求を該当する管理サーバに送信し、該当する管理サーバからログイン許可を受信してログインを確立するログイン設定手段を備えたことを特徴とする。
【００１５】
この発明に係るＩＰ端末装置は、起動後に、自動的にサーバ検索情報、または個々のディレイタイムを有するサーバ検索情報をマルチキャストでＩＰネットワークに送信し、該当する管理サーバからサーバ応答を受信した後、ログイン要求を該当する管理サーバに送信し、該当する管理サーバからログイン許可を受信してログインを確立するログイン設定手段を備えたので、該当する管理サーバが同時に受信するサーバ検索情報が多すぎて容量オーバすることがなく、ＩＰネットワーク上のサーバ検索情報を分散させて全ての管理サーバが受信することができ、全ての端末装置が確実、かつ安定にログインすることができる。
【００１６】
さらに、この発明に係るログイン設定手段は、サーバ検索情報を記憶する記憶手段と、サーバ検索情報に対応したディレイタイムを設定する制御手段と、制御手段から供給されるディレイタイムのタイムラグでサーバ検索情報をＩＰネットワークに送信するインタフェース手段とを備えたことを特徴とする。
【００１７】
この発明に係るログイン設定手段は、サーバ検索情報を記憶する記憶手段と、サーバ検索情報に対応したディレイタイムを設定する制御手段と、制御手段から供給されるディレイタイムのタイムラグでサーバ検索情報をＩＰネットワークに送信するインタフェース手段とを備えたので、装置毎に個別のディレイタイムのタイムラグでサーバ検索情報をＩＰネットワークに送信し、サーバ検索情報の過密を防止することができ、ＩＰネットワークおよび管理サーバの負荷を軽減することができる。
【００１８】
また、この発明に係るサーバ検索情報は、ＭＡＣアドレスで形成したことを特徴とする。
【００１９】
さらに、この発明に係るサーバ検索情報は、ＩＰアドレスで形成したことを特徴とする。
【００２０】
この発明に係るサーバ検索情報は、ＭＡＣアドレスやＩＰアドレスの既存情報を流用して形成するので、特に新たな情報を生成することなく、容易に、かつ単純にサーバ検索情報を生成することができる。
【００２１】
また、この発明に係る制御手段は、サーバ検索情報の下位データ領域に設定した番号に、一定の時間定数を乗算してディレイタイムを生成することを特徴とする。
【００２２】
この発明に係る制御手段は、サーバ検索情報の下位データ領域に設定した番号に、一定の時間定数を乗算してディレイタイムを生成するので、装置毎のディレイタイムを容易に設定することができ、装置の単純化を実現することができる。
【００２３】
【発明の実施の形態】
以下、この発明の実施の形態を添付図面に基づいて説明する。図７にＩＰネットワークシステムのログイン動作の基本シーケンス図を示す。なお、説明を単純化するため、ＩＰ端末装置Ｅ１が管理サーバＳ１の管理下にあり、ＩＰ端末装置Ｅ２が管理サーバＳ２の管理下にある場合について説明する。
【００２４】
システムに電源が投入され、ＩＰ端末装置Ｅ１，Ｅ２および管理サーバＳ１，Ｓ２が起動されると、ＩＰ端末装置Ｅ１，Ｅ２から「サーバ検索」がＩＰネットワークＮＷを介してマルチキャストで管理サーバＳ１，Ｓ２の双方に送信される。
【００２５】
管理サーバＥ１は、ＩＰ端末装置Ｅ１，Ｅ２からの「サーバ検索」を受信するが、ＩＰ端末装置Ｅ２が管理対象外なので、ＩＰ端末装置Ｅ１からの「サーバ検索」のみに応答し、「サーバ応答」がＩＰ端末装置Ｅ１に返送される。
【００２６】
「サーバ応答」を受信したＩＰ端末装置Ｅ１は、「ログイン要求」をＩＰネットワークＮＷを介して管理サーバＳ１を指定して送信し、「ログイン要求」を受信した管理サーバＳ１は、ＩＰ端末装置Ｅ１が管理下にあるので、「ログイン許可」がＩＰ端末装置Ｅ１に返送され、ＩＰ端末装置Ｅ１が「ログイン許可」を受信した時点で、ＩＰ端末装置Ｅ１と管理サーバＳ１のログインが確立される。
【００２７】
同様に、ＩＰ端末装置Ｅ２と管理サーバＳ２間でも、「サーバ応答」、「ログイン要求」および「ログイン許可」が実行され、ログインが確立される。
【００２８】
しかしながら、ＩＰネットワークシステム５０は、電源が投入され、システム全体が起動された状態で、ＩＰ端末装置Ｅ１〜Ｅｎから同時に「サーバ検索」が送信され、しかも「サーバ検索」のデータ量が管理サーバＳ１，Ｓ２の同時処理能力を超える場合には、管理サーバＳ１，Ｓ２が機能停止などの重度障害を招く虞がある。
【００２９】
また、図８はＩＰ端末装置が一斉にサーバ検索を開始する動作図である。（ａ）図に動作シーケンスを示し、（ｂ）図に管理サーバの状態を示す。（ａ）図において、停電復旧後または電源投入後に、システム全体が起動状態となって全てのＩＰ端末装置Ｅ１〜Ｅｎから一斉に「サーバ検索」が管理サーバＳ１に送信され、（ｂ）図に示すように、「サーバ検索Ｙ１〜ＹＮ」が管理サーバＳ１の処理能力「Ｙ１〜ＹＫ」を超える場合には、処理能力ＹＫを超えるＹＫ＋１〜ＹＮのデータが破棄されてしまい、最悪のケースでは、管理サーバＳ１の機能停止などの重度障害に陥る虞がある。また、同時にＩＰネットワークＮＷ上に多量のデータが伝送されるため、別の障害（例えば、スルートップ低下によるネットワーク接続機器の動作速度低下）を発生する課題もある。
【００３０】
よって、本発明は、このような課題も同時に解決するため、サーバ検索情報にディレイタイムを設定し、ＩＰネットワーク上にサーバ検索情報を分散させて送信し、全ての端末装置が確実、かつ安定にログインすることができるようにした。
【００３１】
図１はこの発明に係るＩＰ端末装置が適用されるＩＰネットワークシステムの構成図である。図１において、ＩＰネットワークシステム１は、内線網を構成するＩＰネットワークＮＷに接続される内線電話機を構成するＩＰ端末装置（ＩＰ電話機）２と、それぞれ複数のＩＰ端末装置（ＩＰ電話機）２のＭＡＣアドレスやＩＰアドレスなどの固有識別子を登録して管理して動作を制御し、全体で構内交換機（ＰＢＸ）を構成する管理サーバ３ａ〜３ｂとで構内ネットワークシステムを構成する。
【００３２】
ＩＰ端末装置（ＩＰ電話機）２は、グループＧ１を形成するＩＰ端末装置Ａ１〜Ａｎ、グループＧ２を形成するＩＰ端末装置Ｂ１〜ＢｎおよびグループＣを形成するＩＰ端末装置Ｃ１〜Ｃｎを備え、グループＧ１は管理サーバ３ａの管理下、グループＧ２は管理サーバ３ｂの管理下、グループＧ３は管理サーバ３ｃ管理下で、それぞれ動作する。
【００３３】
ＩＰネットワークシステム１のログイン動作は、停電復旧後や電源投入後にシステム全体が起動すると、ＩＰ端末装置２からそれぞれ装置に設定されたディレイタイムのタイムラグでサーバ検索情報を管理サーバ３ａ〜３ｃに送信し、サーバ検索情報を受信した管理サーバ３ａ〜３ｃからサーバ応答をＩＰ端末装置２に返送する。
【００３４】
続いて、サーバ応答を受信したＩＰ端末装置２からログイン要求を管理サーバ３ａ〜３ｃに送信し、ログイン要求を受信した管理サーバ３ａ〜３ｃからログイン許可（または、ログイン不許可）をＩＰ端末装置２に返送する。そして、ログイン許可を受信したグループＧ１〜Ｇ３のＩＰ端末装置２は、それぞれグループＧ１が管理サーバ３ａ、グループＧ２が管理サーバ３ｂ、グループＧ３が管理サーバ３ｃの制御下で動作が可能となるログイン処理が完了する。
【００３５】
なお、本発明は、ＩＰ端末装置２からサーバ検索情報を管理サーバ３ａ〜３ｃに送信する際、全てのサーバ検索情報が同時に集中するのを防止するため、グループＧ１〜Ｇ３のそれぞれについて、サーバ検索情報にディレイタイムを設定し、送信タイミングをずらしてサーバ検索情報の分散を実現し、管理サーバ３ａ〜３ｃの機能停止などの障害を防止してシステムの正常動作を実現する。
【００３６】
図２はこの発明に係るＩＰ端末装置（ＩＰ電話機）の一実施の形態要部ブロック構成図である。なお、ＩＰ端末装置は、図１に示すＩＰ端末装置Ａ１〜Ａｎ、ＩＰ端末装置Ｂ１〜Ｂｎ、ＩＰ端末装置Ｃ１〜Ｃｎの全てで同じ構成である。図２において、ＩＰ端末装置２は、アナログインタフェース４、コーデック（ＣＯＤＥＣ）５、ログイン確立手段６、ハンドセット１０、スピーカ１１、ランプ１２、表示器１３、キーパッド１４を備える。
【００３７】
アナログインタフェース４は、送話増幅器、受話増幅器、スピーカ増幅器等で構成し、コーデック（ＣＯＤＥＣ）５から供給されるアナログの音声信号を増幅してハンドセット１０やスピーカ１１から音声を発生する。また、アナログインタフェース４は、ハンドセット１０から入力された送話音声をアナログの音声信号でコーデック（ＣＯＤＥＣ）５に供給する。
【００３８】
コーデック（ＣＯＤＥＣ）５は、符号器および復号器で構成し、アナログインタフェース４から供給されるアナログの音声信号をディジタルの音声信号に符号化（変換）し、ディジタルの音声信号をログイン確立手段６の制御手段７に供給する。
【００３９】
また、コーデック（ＣＯＤＥＣ）５は、制御手段７から供給されるディジタルの音声信号をアナログの音声信号に複合化（変換）し、アナログの音声信号をアナログインタフェース４に供給する。
【００４０】
ログイン確立手段６は、停電復旧時や電源投入後のシステム全体の起動時に、自動的に、サーバ検索情報ＪＲ１〜ＪＲｎまたは個々のディレイタイムＴＤ１〜ＴＤｎを有するサーバ検索情報ＪＲ１〜ＪＲｎをマルチキャストでＩＰネットワークＮＷに送信し、該当する管理サーバ（例えば、管理サーバ３ａ）からサーバ応答を受信した後、ログイン要求を該当する管理サーバ（例えば、管理サーバ３ａ）に送信し、該当する管理サーバ（例えば、管理サーバ３ａ）からログイン許可を受信してログインを確立する。
【００４１】
このように、ログイン確立手段６は、起動後に、自動的に、サーバ検索情報ＪＲ１〜ＪＲｎまたは個々のディレイタイムＴＤ１〜ＴＤｎを有するサーバ検索情報ＪＲ１〜ＪＲｎをマルチキャストでＩＰネットワークＮＷに送信し、該当する管理サーバ（例えば、管理サーバ３ａ）からサーバ応答を受信した後、ログイン要求を該当する管理サーバ（例えば、管理サーバ３ａ）に送信し、該当する管理サーバ（例えば、管理サーバ３ａ）からログイン許可を受信してログインを確立するので、該当する管理サーバ（例えば、管理サーバ３ａ）が同時に受信するサーバ検索情報が多すぎて容量オーバすることがなく、ＩＰネットワークＮＷ上のサーバ検索情報を分散させて全ての管理サーバが受信することができ、全ての端末装置が確実、かつ安定にログインすることができる。
【００４２】
ログイン確立手段６は、制御手段７、記憶手段８、ネットワークインタフェース手段９を備える。
【００４３】
制御手段７は、マイクロプロセッサを基本に各種処理機能、演算機能、シーケンス機能、表示駆動機能、キーインタフェース機能、ＭＡＣ制御機能等を備え、記憶手段８に予め記憶されたＭＡＣアドレスまたはＩＰアドレスを読み出し、サーバ検索情報ＪＲとして下位データ領域に、例えば１バイト（ｂｙｔｅ＝８ｂｉｔ）のＩＰ端末装置２のシリアル番号（例えば、１番〜２５５番）を付加し、シリアル番号に一定の時間定数（例えば、１０ｍｓ）を乗算してディレイタイムＴＤを設定し、ディレイタイムＴＤを付加したサーバ検索情報ＪＲをネットワークインタフェース手段９に提供する。
【００４４】
図３はこの発明に係る制御手段のディレイタイム生成の一実施の形態イメージ図である。（ａ）図にサーバ検索情報ＪＲからディレイタイムＴＤの生成、（ｂ）図にサーバ検索情報ＪＲの下位データ領域の番号設定を示す。
【００４５】
（ａ）図において、図１に示すＧ１グループのＩＰ端末装置Ａ１〜Ａｎのサーバ検索情報ＪＲ１〜ＪＲｎの下位データ領域にシリアル番号１〜２５５を設定し、このシリアル番号１〜２５５に、それぞれ一定時間定数１０ｍｓを乗算してディレイタイムＴＤを１０ｍｓ〜２５５０ｍｓに設定する。なお、一定時間定数は、任意の値（例えば、５ｍｓ）でもよい。
【００４６】
また、（ｂ）図において、サーバ検索情報ＪＲの下位データ領域は、例えば１バイト（ｂｙｔｅ＝８ｂｉｔ）で形成し、シリアル番号１〜２５５を設定する。なお、下位データ領域は、１バイトに限らず任意のｂｙｔｅまたはｂｉｔを設定してもよい。
【００４７】
さらに、サーバ検索情報ＪＲは、ＩＰ端末装置に固有に設定されたＭＡＣアドレス、ＩＰアドレスまたは電話番号で形成する。
【００４８】
このように、この発明に係る制御手段７は、サーバ検索情報ＪＲの下位データ領域に設定した番号に、一定の時間定数（例えば、１０ｍｓ）を乗算してディレイタイムＴＤを生成するので、装置毎のディレイタイムを容易に設定することができ、装置の単純化を実現することができる。
【００４９】
また、この発明に係るサーバ検索情報ＪＲは、ＭＡＣアドレスやＩＰアドレスの既存情報を流用して形成するので、特に新たな情報を生成することなく、容易に、かつ単純にサーバ検索情報を生成することができる。
【００５０】
制御手段７は、ネットワークインタフェース手段９を介して受信したサーバ応答を認識し、記憶手段８に記憶しているログイン要求を読み出し、ログイン要求をネットワークインタフェース手段９を介してＩＰネットワークＮＷに送信させる制御を実行する。
【００５１】
また、制御手段７は、ネットワークインタフェース手段９を介して受信したログイン許可を認識し、装置のログインを確立し、装置を動作待機状態に設定する。
【００５２】
さらに、制御手段７は、コーデック（ＣＯＤＥＣ）５から供給されるディジタルの音声信号をネットワークインタフェース手段９を介してＩＰネットワークＮＷに送信させる制御を実行する。
【００５３】
また、制御手段７は、ネットワークインタフェース手段９から供給されるディジタルの音声信号をコーデック（ＣＯＤＥＣ）５に提供する。
【００５４】
さらに、制御手段７は、キーパッド１４からのキー情報を読み取り、ダイヤル情報に変換してネットワークインタフェース手段９に提供するとともに、ネットワークインタフェース手段９から供給されるデータをランプ表示情報に変換してランプ１２に表示させ、文字データ情報に変換して表示器１３に表示させる制御を実行する。
【００５５】
記憶手段８は、ＲＯＭ等の固定メモリやＲＡＭ等の書換え可能なメモリで構成し、ＭＡＣアドレスやＩＰアドレスで形成したサーバ検索情報ＪＲを格納し、サーバ検索情報ＪＲを制御手段７に提供する。
【００５６】
また、記憶手段８は、ＩＰフレームやログインデータを格納し、制御手段７からの要求に応じてＩＰフレームやログインデータを制御手段７に提供する。
【００５７】
ネットワークインタフェース手段９は、制御手段７から供給されるサーバ検索情報ＪＲのディレイタイムＴＤに基づいて、装置の起動からディレイタイムＴＤのタイムラグでサーバ検索情報ＪＲをＩＰパケットに変換し、ＩＰネットワークＮＷに送信する。
【００５８】
また、ネットワークインタフェース手段９は、制御手段７から供給されるログイン要求をＩＰパケットに変換し、ＩＰネットワークＮＷに送信する。
【００５９】
さらに、ネットワークインタフェース手段９は、制御手段７から提供されるディジタルの音声信号をＩＰパケットに変換してＩＰネットワークＮＷに送信するとともに、ＩＰネットワークＮＷから受信した音声信号、サーバ応答、ログイン許可のＩＰパケットをディジタルデータに変換して制御手段７に供給する。
【００６０】
このように、この発明に係るログイン確立手段６は、サーバ検索情報ＪＲを記憶する記憶手段８と、サーバ検索情報ＪＲに対応したディレイタイムＴＤを設定する制御手段７と、制御手段７から供給されるディレイタイムＴＤのタイムラグでサーバ検索情報ＪＲをＩＰネットワークＮＷに送信するインタフェース手段９とを備えたので、装置毎に個別のディレイタイムＴＤのタイムラグでサーバ検索情報ＪＲをＩＰネットワークＮＷに送信し、サーバ検索情報ＪＲの過密を防止することができ、ＩＰネットワークＮＷおよび管理サーバ３ａ〜３ｃの負荷を軽減することができる。
【００６１】
次に、この発明に係るＩＰネットワークシステムのログイン動作について説明する。図４はこの発明に係るＩＰ端末装置が適用されるＩＰネットワークシステムの基本シーケンス図である。なお、説明を単純化するため、ＩＰ端末装置Ａ１〜Ａｎの任意のＩＰ端末装置Ａｋが管理サーバ３ａの管理下にある場合について説明する。
【００６２】
停電復旧後または電源投入後に、システムが起動状態となり、任意のＩＰ端末装置ＡｋからディレイタイムＴＤに設定された「サーバ検索」が起動後のディレイタイムＴＤの経過後（タイムラグ）に、マルチキャストで管理サーバ３ａ〜３ｃに送信されると、任意のＩＰ端末装置Ａｋを管理している管理サーバ３ａが「サーバ検索」を受信して認識し、管理サーバ３ａから「サーバ応答」がＩＰ端末装置Ａｋに返送される。
【００６３】
「サーバ応答」を受信したＩＰ端末装置Ａｋから「ログイン要求」が管理サーバ３ａに対して送信される。「ログイン要求」を受信した管理サーバ３ａは、ＩＰ端末装置Ａｋが管理下にあるか否かを判定し、不都合がない場合には「ログイン許可」、不都合がある場合には「ログイン不許可」をＩＰ端末装置Ａｋに返送する。
【００６４】
ＩＰ端末装置Ａｋが「ログイン許可」を受信することにより、ＩＰ端末装置Ａｋと管理サーバ３ａのログインが確立し、ＩＰ端末装置Ａｋは、動作待機状態となる。
【００６５】
図５はこの発明に係るＩＰ端末装置のディレイタイムを有する動作シーケンス図である。なお、ＩＰ端末装置Ａ１〜Ａｎが管理下にある管理サーバ３ａに対し、それぞれ固有のディレイタイムＴＤ１〜ＴＤｎのタイムラグで「サーバ検索」の送信を開始する動作について説明する。
【００６６】
起動後、ディレイタイムＴＤ１（例えば、１０ｍｓ）に設定されたＩＰ端末装置Ａ１から１０ｍｓ経過後に、「サーバ検索」がマルチキャストで送信される。
【００６７】
続いて、ディレイタイムＴＤ２（例えば、２０ｍｓ）に設定されたＩＰ端末装置Ａ２から２０ｍｓ経過（起動後）後に、「サーバ検索」がマルチキャストで送信される。
【００６８】
同様に、次々に設定されたディレイタイムＴＤ３〜ＴＤｎ−１のタイムラグで、ＩＰ端末装置Ａ３〜ＩＰ端末装置Ａｎ−１から「サーバ検索」がマルチキャストで送信され、最後に、ディレイタイムＴＤｎ（例えば、２５５０ｍｓ）に設定されたＩＰ端末装置Ａｎから２５５０ｍｓ経過後に、「サーバ検索」がマルチキャストで送信される。
【００６９】
従って、ＩＰ端末装置Ａ１〜Ａｎからの「サーバ検索」を受信する管理サーバ３ａは、ＩＰ端末装置Ａ１〜Ａｎに設定されたディレイタイムＴＤ１〜ＴＤｎのタイムラグで「サーバ検索」を受信するため、同時に多量の「サーバ検索」のデータ（ＩＰパケット）を処理することがなく、確実にログイン処理を実行することができる。
【００７０】
なお、ＩＰ端末装置Ｂ１〜Ｂｎと管理サーバ３ｂ、ＩＰ端末装置Ｃ１〜Ｃｎと管理サーバ３ｃの関係も同様である。また、ＩＰ端末装置Ａ１〜Ａｎ、ＩＰ端末装置Ｂ１〜ＢｎおよびＩＰ端末装置Ｃ１〜ＣｎのディレイタイムＴＤを同じに設定することができる。
【００７１】
さらに、ＩＰ端末装置Ａ１〜ＡｎのディレイタイムＴＤ１〜ＴＤｎを独立（異なる値）に設定したが、管理サーバ３ａの処理能力の範囲内で、複数のＩＰ端末装置毎に同じディレイタイムＴＤに設定してトータルの処理時間を短縮することができる。処理時間の短縮は、ＩＰ端末装置Ｂ１〜ＢｎおよびＩＰ端末装置Ｃ１〜Ｃｎについても同様に適用することができる。
【００７２】
【発明の効果】
以上説明したように、この発明に係るＩＰ端末装置は、同一ネットワーク上に複数の管理サーバが存在した場合でも、起動後に、自動的にサーバ検索情報または個々のディレイタイムを有するサーバ検索情報をマルチキャストでＩＰネットワークに送信し、該当する管理サーバからサーバ応答を受信した後、ログイン要求を該当する管理サーバに送信し、該当する管理サーバからログイン許可を受信してログインを確立するログイン設定手段を備えたので、該当する管理サーバが同時に受信するサーバ検索情報が多すぎて容量オーバすることがなく、ＩＰネットワーク上のサーバ検索情報を分散させて全ての管理サーバが受信することができ、全ての端末装置が確実、かつ安定にログインすることができる。
【００７３】
また、この発明に係るログイン設定手段は、サーバ検索情報を記憶する記憶手段と、サーバ検索情報に対応したディレイタイムを設定する制御手段と、制御手段から供給されるディレイタイムのタイムラグでサーバ検索情報をＩＰネットワークに送信するインタフェース手段とを備えたので、装置毎に個別のディレイタイムのタイムラグでサーバ検索情報をＩＰネットワークに送信し、サーバ検索情報の過密を防止することができ、ＩＰネットワークおよび管理サーバの負荷を軽減することができる。
【００７４】
さらに、この発明に係るサーバ検索情報は、ＭＡＣアドレスやＩＰアドレスの既存情報を流用して形成するので、特に新たな情報を生成することなく、容易に、かつ単純にサーバ検索情報を生成することができる。
【００７５】
また、この発明に係る制御手段は、サーバ検索情報の下位データ領域に設定した番号に、一定の時間定数を乗算してディレイタイムを生成するので、装置毎のディレイタイムを容易に設定することができ、装置の単純化を実現することができる。
【図面の簡単な説明】
【図１】この発明に係るＩＰ端末装置が適用されるＩＰネットワークシステムの構成図
【図２】この発明に係るＩＰ端末装置（ＩＰ電話機）の一実施の形態要部ブロック構成図
【図３】この発明に係る制御手段のディレイタイム生成の一実施の形態イメージ図
【図４】この発明に係るＩＰ端末装置が適用されるＩＰネットワークシステムの基本シーケンス図
【図５】この発明に係るＩＰ端末装置のディレイタイムを有する動作シーケンス図
【図６】従来のＩＰ端末装置を含むＩＰネットワークシステム構成図
【図７】ＩＰネットワークシステムのログイン動作の基本シーケンス図
【図８】ＩＰ端末装置が一斉にサーバ検索を開始する動作図
【符号の説明】
１  ＩＰネットワークシステム
２，Ａ１〜Ａｎ，Ｂ１〜Ｂｎ，Ｃ１〜Ｃｎ  ＩＰ端末装置
３ａ，３ｂ，３ｃ  管理サーバ
４  アナログインタフェース
５  コーデック（ＣＯＤＥＣ）
６  ログイン確立手段
７  制御手段
８  記憶手段
９  ネットワークインタフェース手段
１０  ハンドセット
１１  スピーカ
１２  ランプ
１３  表示器
１４  キーパッド
ＮＷ  ＩＰネットワーク
ＪＲ，ＪＲ１〜ＪＲｎ    サーバ検索情報
ＴＤ，ＴＤ１〜ＴＤｎ  ディレイタイム
【図１】
2004165933.tif 000003
【図２】
2004165933.tif 000004
【図３】
2004165933.tif 000005
【図４】
2004165933.tif 000006
【図５】
2004165933.tif 000007
【図６】
2004165933.tif 000008
【図７】
2004165933.tif 000009
【図８】
2004165933.tif 000010